(57)【要約】      （修正有）【課題】ワイヤのもつれを起こさずに、高速でワイヤをボビンから引き出すことのできるワイヤ引出装置を提供する。【解決手段】ワイヤ引出装置は、円形の自由径を有するワイヤ１が胴部から外側へ巻回された、フランジを有するボビン２と、ワイヤをボビンから引出し通過させるガイド孔１０を有する回転式のアーム９を備えた基部６、制動板７、及び押圧板８を含む、ボビンの中空芯に設置された回転式引出部５と、引き出されたワイヤを送り出すワイヤ送り出し部１１と、を含み、関係式１≦ａ／ｂ≦１．３３（ａはワイヤの円形の自由径、ｂはボビンのフランジ外径）、及び関係式１．３３≦ａ／ｃ≦２．０（ａはワイヤの円形の自由径、ｃはボビンの胴部の直径）、を満たす。【選択図】図１
0003193559.tif 000002
【実用新案登録請求の範囲】
【請求項１】
円形の自由径を有するワイヤが胴部から外側へ巻回された、フランジを有するボビン；
ワイヤをボビンから引出しそして通過させるガイド孔を有する回転式のアームを備えた基部、制動板、及び押圧板を含む、ボビンの中空芯に設置された回転式引出部；及び
引き出されたワイヤを送り出すワイヤ送り出し部；
を含むワイヤ引出装置であって、且つ
関係式（１）：
１≦ａ／ｂ≦１．３３  （１）
（式中、ａはワイヤの円形の自由径であり、ｂはボビンのフランジ外径である）、
及び関係式（２）：
１．３３≦ａ／ｃ≦２．０  （２）
（式中、ａはワイヤの円形の自由径であり、ｃはボビンの胴部の直径である）、
を満たすワイヤ引出装置。
【請求項２】
関係式（３）：
１．２８≦ａ／ｄ≦３．２  （３）
（式中、ａはワイヤの円形の自由径であり、ｄはボビンの上端からワイヤ送り出し部までの距離である）
を更に満たす請求項１に記載のワイヤ引出装置。
【請求項３】
前記ボビンのフランジ外径ｂが２５０〜３１０ｍｍであり、ワイヤの円形の自由径ａが２８０〜３４０ｍｍであり、ボビンの胴部の直径ｃが１７０〜２３０ｍｍであり、そしてボビンの上端からワイヤ送り出し部までの距離ｄが１７０〜２３０ｍｍである、請求項１又は２に記載のワイヤ引出装置。
【請求項４】
前記制動板が、皮製である、請求項１〜３のいずれか一項に記載のワイヤ引出装置。
【考案の詳細な説明】
【技術分野】
【０００１】
本考案は、ワイヤ引出装置に関する。本考案によれば、ワイヤのもつれを起こさずに、高速でワイヤをボビンから引き出すことができる。
【背景技術】
【０００２】
週刊誌などの雑誌の製本は、その背の部分をワイヤで綴る中綴じ製本によって行われている。この中綴じ製本による雑誌の製本装置では、製本作業は極めて高速化されており、雑誌は毎時１０，０００〜３０，０００冊の速度で製本されるが、その際に、雑誌の重ねられた紙葉の上下２個所がカットワイヤで綴られる。この各綴り位置にカットワイヤを供給するために、一つの綴じ位置に対して一つのワイヤボビンが配置されている。
【０００３】
１個所を綴じるためのカットワイヤの長さは平均４ｃｍであり、製本装置内で４ｃｍ毎にカットしてコ字状に曲げて使用されるが、カットの瞬間にワイヤは停止するから、ワイヤはボビンから断続的な引き出しをされる。ワイヤの速度を前記の製本速度に合わせるためには、平均毎秒１１．１ｃｍ〜２６．７ｃｍの高速度で引き出されることを要し、しかもこの引き出しの途中で毎秒２．８回〜６．７回の停止を繰返す。
【０００４】
このように、ワイヤが高速で引き出しと停止とを繰返すと、ボビンからほぐれる位置でもつれが生じ易い。
【先行技術文献】
【特許文献】
【０００５】
【特許文献１】特開平９−５２６６１号公報
【特許文献２】特開２００５−２２５６５７号公報
【考案の概要】
【考案が解決しようとする課題】
【０００６】
本考案者らは、前記課題を解決するため、弱弾性の多数の細線条を放射方向に向けたリング形のブラシ状部を有するボビン用ワイヤ制動器（特許文献１）、及び回転可能な軟質材料の制動板、回転不可能な押圧板、及びアームを有する基部を含むボビン用ワイヤ引き出し装置の制動器（特許文献２）を開発した。これらの装置により、ワイヤのもつれは、減少したが、さらなる改良が求められた。
従って、本考案の目的は、ワイヤのもつれを起こさずに、高速でワイヤをボビンから引き出すことのできるワイヤ引出装置を提供することである。
【課題を解決するための手段】
【０００７】
本考案者は、ワイヤのもつれを起こさずに、高速でワイヤをボビンから引き出すことのできるワイヤ引出装置について、鋭意研究した結果、驚くべきことに、ワイヤにボビンのフランジ外径及び胴部の直径に対して、特定範囲の円形の自由径を付与することによって、ワイヤのもつれを防止できることを見出した。更に、ボビンの上端部からワイヤ送り出し部までの距離を特定の範囲とすることによって、ワイヤのもつれを起こさずに、高速でワイヤをボビンから引き出すことが可能であることを見出した。
本考案は、こうした知見に基づくものである。
従って、本考案は、
［１］円形の自由径を有するワイヤが胴部から外側へ巻回された、フランジを有するボビン；ワイヤをボビンから引出しそして通過させるガイド孔を有する回転式のアームを備えた基部、制動板、及び押圧板を含む、ボビンの中空芯に設置された回転式引出部；及び
引き出されたワイヤを送り出すワイヤ送り出し部；を含むワイヤ引出装置であって、且つ
関係式（１）：
１≦ａ／ｂ≦１．３３  （１）
（式中、ａはワイヤの円形の自由径であり、ｂはボビンのフランジ外径である）、
及び関係式（２）：
１．３３≦ａ／ｃ≦２．０  （２）
（式中、ａはワイヤの円形の自由径であり、ｃはボビンの胴部の直径である）、を満たすワイヤ引出装置、
［２］関係式（３）：
１．２８≦ａ／ｄ≦３．２  （３）
（式中、ａはワイヤの円形の自由径であり、ｄはボビンの上端からワイヤ送り出し部までの距離である）
を更に満たす［１］に記載のワイヤ引出装置、
［３］前記ボビンのフランジ外径ｂが２５０〜３１０ｍｍであり、ワイヤの円形の自由径ａが２８０〜３４０ｍｍであり、ボビンの胴部の直径ｃが１７０〜２３０ｍｍであり、そしてボビンの上端からワイヤ送り出し部までの距離ｄが１７０〜２３０ｍｍである、［１］又は［２］に記載のワイヤ引出装置、及び
［４］前記制動板が、皮製である、［１］〜［３］のいずれかに記載のワイヤ引出装置、
に関する。
【考案の効果】
【０００８】
本考案のワイヤ引出装置によれば、ボビンからワイヤのもつれを起こさずに、高速でワイヤを引き出すことができる。
【図面の簡単な説明】
【０００９】
【図１】本考案のワイヤ引出装置の斜視図である。
【図２】ワイヤに付与された円形の自由径ａ、ボビンのフランジの外径ｂ、及びボビンの胴部の直径ｃとの関係を上面から模式的に示した図である。
【図３】ボビンのフランジの外径ｂ、ボビンの胴部の直径ｃ、及びボビンの上端からワイヤ送り出し部までの距離との関係を側面から示した図である。
【考案を実施するための形態】
【００１０】
本考案のワイヤ引出装置は、円形の自由径を有するワイヤが胴部から外側へ巻回された、フランジを有するボビン；ワイヤをボビンから引出しそして通過させるガイド孔を有する回転式のアームを備えた基部、制動板、及び押圧板を含む、ボビンの中空芯に設置された回転式引出部；及び引き出されたワイヤを送り出すワイヤ送り出し部；を含み、且つ
関係式（１）：
１≦ａ／ｂ≦１．３３  （１）
（式中、ａはワイヤの円形の自由径であり、ｂはボビンのフランジ外径である）、
及び関係式（２）：
１．３３≦ａ／ｃ≦２．０  （２）
（式中、ａはワイヤの円形の自由径であり、ｃはボビンの胴部の直径である）、
を満たす。
本考案のワイヤ引出装置は、好ましくは関係式（３）：
１．２８≦ａ／ｄ≦３．２  （３）
（式中、ａはワイヤの円形の自由径であり、ｄはボビンの上端からワイヤ送り出し部までの距離である）
を更に満たす。
【００１１】
本考案のワイヤ引出装置は、前記のようにワイヤ綴りの雑誌の製本装置におけるワイヤ引出装置として用いることができるが、これに限定されるものではなく、ワイヤ引出装置を含む任意の装置に用いることができる。具体的には、例えば溶接用ワイヤの回転式引出装置として用いることもできる。
【００１２】
《ワイヤ》
本考案のワイヤ引出装置において、ボビンに巻回されるワイヤは、円形のクセを付与することによって、ボビンへの巻回が容易になる。すなわち、ボビンに巻回されるワイヤは、円形の自由径を付与されたものであり、前記式（１）及び（２）を満たす限りにおいて、限定されるものではないが、更に前記式（３）を満たすものが好ましい。
円形の自由径は、特に限定されるものではないが、例えば雑誌の製本のワイヤ引出装置に用いるワイヤの場合、自由径は好ましくは２８０〜３４０ｍｍであり、より好ましくは２９０〜３３０ｍｍであり、更に好ましくは３００〜３２０ｍｍである。
本明細書において、「自由径」とは、少なくとも円を描くことのできる長さのワイヤを切り出し、そして水平面上に自然放置したときにできる輪の直径を意味する。
ワイヤに円形の自由径を付与する手段は、限定されるものではないが、例えば３次元矯正機又は矯正ローラーを用いて自由径を付与することができる。ワイヤは、例えば非常に硬い金属又はダイヤモンドに孔をあけたダイスにより、線引きする方法により製造することができるが、この製造工程において、３次元矯正機を用いて円形の自由径を付与することができる。また、更に矯正ローラーを用いて、自由径を付与することができる。
自由径を測定する場合に切り出された円形のワイヤは、ワイヤの両端のズレ（立ち上がり）が小さい方が好ましい。ワイヤの両端のズレが大きいと、ワイヤのもつれの原因となることがあるからである。ワイヤの両端のズレは、限定されるものではないが、好ましくは２０ｍｍ以下であり、より好ましくは１０ｍｍ以下であり、更に好ましくは５ｍｍ以下である。
【００１３】
《ボビン》
本考案のワイヤ引出装置に用いるボビンは、ワイヤを巻回するものであり、材質は特に限定されないが、樹脂製、又は金属製のボビンを用いることができる。ボビンの大きさも前記関係式（１）及び（２）を満たす限りにおいて、限定されるものではなく様々な大きさのものを用いることができる。しかしながら、例えば雑誌の製本のワイヤ引出装置に用いるボビンの場合、ボビンのフランジ外径は、好ましくは２５０〜３１０ｍｍであり、より好ましくは２６０〜３００ｍｍであり、更に好ましくは２７０〜２９０ｍｍである。また、ボビンの胴部の直径は、好ましくは１７０〜２３０ｍｍであり、より好ましくは１８０〜２２０ｍｍであり、更に好ましくは１９０〜２１０ｍｍである。ボビンの高さ（幅）は特に限定されない。本考案においては、ボビン自体は回転しないため、高さ（幅）が高くワイヤが大量に巻回された高重量のボビンを使用することができるからである。従って、ボビンの高さ（幅）は限定されないが、例えば７０〜５００ｍｍでもよく、７０〜４００ｍｍでもよく、７０〜３００ｍｍでもよく、７０〜２００ｍｍでもよい。しかしながら、好ましくは７０〜１３０ｍｍであり、より好ましくは８０〜１２０ｍｍであり、更に好ましくは９０〜１１０ｍｍである。前記の範囲にあることにより、特に効率的に雑誌の製本を行うことができる。
【００１４】
前記ワイヤの自由径ａ及びボビンのフランジの外径ｂは、
関係式（１）：
１≦ａ／ｂ≦１．３３  （１）
（式中、ａはワイヤの円形の自由径であり、ｂはボビンのフランジ外径である）、を満たすものであるが、ａ／ｂの範囲は、好ましくは１．０３〜１．２８であり、更に好ましくは１．０６〜１．２４であり、更に好ましくは１．０９〜１．１９である。
本明細書において、フランジ外径ｂは、上部のフランジの外形を意味する。従って、上部のフランジの外径と下部のフランジの外径とは同じであることが好ましいが、上部のフランジの外径と下部のフランジの外径とが異なっていてもよい。
【００１５】
前記ワイヤの自由径ａ及びボビンの胴部の直径ｃは、
関係式（２）：
１．３３≦ａ／ｃ≦２．０  （２）
（式中、ａはワイヤの円形の自由径であり、ｃはボビンの胴部の直径である）、
満たすものであるが、ａ／ｃの範囲は、好ましくは１．３９〜１．９０であり、更に好ましくは１．４５〜１．８０であり、更に好ましくは１．４６〜１．７０である。
ａ／ｃが前記の範囲であることによって、ワイヤを最後までねじれることなく引き出すことができる。
【００１６】
《ワイヤ送り出し部》
本考案のワイヤ引出装置におけるワイヤ送り出し部は、ボビンから引き出されたワイヤを、例えば雑誌をワイヤで綴る箇所へ送り出す部分である。ボビンの上端からワイヤ送り出し部までの距離ｄは、関係式（３）を満たす限りにおいて、限定されるものではないが、例えば雑誌の製本のワイヤ引出装置の場合、ボビンの上端からワイヤ送り出し部までの距離ｄは、好ましくは１７０〜２３０ｍｍであり、より好ましくは１７８０〜２２０ｍｍであり、更に好ましくは１９０〜２１０ｍｍである。
【００１７】
前記ワイヤの自由径ａ及びボビンの上端からワイヤ送り出し部までの距離ｄは、
関係式（３）：
１．２８≦ａ／ｄ≦３．２  （３）
（式中、ａはワイヤの円形の自由径であり、ｄはボビンの上端からワイヤ送り出し部までの距離である）
を満たすものであるが、ａ／ｄの範囲は、好ましくは１．５０〜２．９５であり、より好ましくは１．７０〜２．７０であり、更に好ましくは１．９０〜２．４５である。
【００１８】
《回転式引出部》
回転式引出部は、ワイヤをボビンから引出しそして通過させるガイド孔を有する回転式のアームを備えた基部、制動板、及び押圧板を含み、ボビンの中空芯に設置されている。
【００１９】
（基部）
前記基部は、回転可能であり、ガイド孔を有する回転式のアームを有する。回転式の基部によって、ボビンからワイヤがアームのガイド孔を通って引き出される。基部の中心からアーム端部までの長さは、限定されるものではないが、上部のフランジの外径の半径以上の長さが好ましい。具体的には、基部の中心からアーム端部のガイド孔の中心までの長さは、フランジの外径の半径より、好ましくは０〜５０ｍｍ長く、より好ましくは１０〜４０ｍｍ長く、更に好ましくは２０〜３０ｍｍ長い。
前記アームの先端には、ガイド孔を備える。ガイド孔はワイヤが通過できる限りにおいて、限定されるものではなく、例えばリング状のガイド孔でもよく、図１又は図３に示すようなチューブ状のガイド孔でもよい。
【００２０】
（制動板）
制動板は、基部と一体に回転させて、押圧板との摩擦抵抗によりアームに制動力を作用させるものである。制動板は、限定されるものではないが、軟質材料の板が好ましい。アームの基部側の面は、前記基部との摩擦力が大きくすることが好ましい。例えば、制動板のアームの基部側の面の制動力を大きくするためには、前記基部側の面にローレット等の粗面加工を施せばよい。軟質材料の板としては、例えば各種の皮、ゴム板、プラスチック板等を挙げることができ、特に馬や牛等の獣皮をなめし加工したものが好ましい。なめした皮は、表面が滑らかで押圧板と適度な摩擦抵抗を得ることができるとともに、裏面がザラついた粗面になっていて、粗面加工を施さないでもそのまま、アームの基部との間で大きな摩擦力を得ることができるからである。
【００２１】
（押圧板）
押圧板は、回転不可能に設置され、前記制動板を押圧力によって抑えるものである。押圧力は図３に示すように、バネなどに得ることができる。
【実施例】
【００２２】
以下、実施例によって本考案を具体的に説明するが、これらは本考案の範囲を限定するものではない。
【００２３】
以下、図面を参照して本発明の実施例を詳述する。図１は本発明のワイヤ引出装置の１つの実施態様を示す斜視図であり、図３はその断面図である。
ボビン２の胴部から外側にかけて、ワイヤ１が巻回されている。ワイヤ１は、ボビン２から引き出され、アーム９の先端のガイド孔１０を通して、ワイヤ送り出し部１１に誘導されている。
回転式のアーム９は、回転式引出部５の基部６に結合している。基部６は回転可能であるが、その基部６を回転しない押圧板８で上部からバネで抑えている。この基部６と押圧板８の間に制動板７を挟むことにより、基部６は回転可能となっている。回転式引出部５は、ボビンの中空芯に挿入され、セットされる。
回転式引出部は、ワイヤをボビンから引出しそして通過させるガイド孔を有する回転式のアームを備えた基部、制動板、及び押圧板を含み、ボビンの中空芯に設置されている。
【００２４】
図２は、ワイヤに付与された円形の自由径ａ、ボビンのフランジの外径ｂ、及びボビンの胴部の直径ｃとの関係を上面から模式的に示した図である。
ワイヤの円形の自由径ａは、円形になる程度にワイヤを切断し、自然に平面上においた場合の直径を測定することによって得ることができる。ボビンのフランジの外径ｂは、ボビンの上部のフランジの外径を意味する。ボビンの胴部の直径ｃは、ワイヤを巻回する胴部の直径を意味する。
【産業上の利用可能性】
【００２５】
本考案のワイヤ引出装置は、ワイヤ綴りの雑誌の製本装置に用いることができる。
【符号の説明】
【００２６】
１・・・ワイヤ；
２・・・ボビン；
３・・・フランジ；
４・・・胴部；
５・・・回転式引出部；
６・・・基部；
７・・・制動板；
８・・・押圧板；
９・・・アーム；
１０・・・ガイド孔；
１１・・・ワイヤ送り出し部；
【図１】
0003193559.tif 000003
【図２】
0003193559.tif 000004
【図３】
0003193559.tif 000005